(57)【特許請求の範囲】
【請求項１】
トイレ内に設置され、使用する時には引き出され使用しない時には収納される収納式踏み台であって、該収納式踏み台は引き出される方向に複数に分割されるとともに相互間での摺動により伸縮する踏み台部材から構成されており、トイレ内に設置されたキャビネットに略直立状態から略水平状態へ回動可能に組込まれ、前記踏み台部材が分割されていない状態の伸縮方向の全長よりも、前記キャビネットの前記踏み台部材が組込まれる部分の全長のほうが長いことを特徴とする収納式踏み台。
【請求項２】
前記収納式踏み台の内部にトイレ内で使用される備品が収納できる収納空間を備えたことを特徴とする請求項１または請求項２に記載の収納式踏み台。
【発明の詳細な説明】
【０００１】
【発明の属する技術分野】
本発明は、トイレ内に設置され、使用する時には引き出され使用しない時には収納される収納式踏み台に関する。
【０００２】
【従来の技術】
従来、この種の収納式踏み台として、例えば特開平１０−１７４６３４号に見られるものを詳述すると、以下の通りである。
この踏み台は、屋内構造物の台座部に前面が開放された収納空間を形成し、収納空間に踏み台が、前後方向に出し入れ可能に組み付けられている。
この種の収納式踏み台は、背の低い人や子供が使いにくい比較的高い位置に設置された手洗い器や収納棚等の設備を使いやすくすることができるとともに、踏み台が不必要な時には踏み台を屋内構造物に収納できるので、踏み台を必要としない人や掃除をする人の邪魔にならならず、また見栄えもよい。
【０００３】
【発明が解決しようとする課題】
しかし従来の収納式踏み台では、踏み台を収納させるために屋内構造物に踏み台と同等の奥行きが必要とされるので、トイレなどの狭い空間には設置できないという問題があった。
本発明は、上記課題を解決するためになされたもので、本発明の目的は、トイレなどの狭い空間でも設置できる収納式踏み台を提供することにある。
【０００４】
【課題を解決するための手段】
上記課題を解決するために、請求項１記載の発明は、トイレ内に設置され、使用する時には引き出され使用しない時には収納される収納式踏み台であって、該収納式踏み台は引き出される方向に複数に分割されるとともに相互間での摺動により伸縮する踏み台部材から構成されており、トイレ内に設置されたキャビネットに略直立状態から略水平状態へ回動可能に組込まれたことを特徴とする。
【０００９】
そして、請求項２記載の発明は、収納式踏み台の内部にトイレ内で使用される備品が収納できる収納空間を備えたことを特徴とする。
【００１０】
【作用及び発明の効果】
請求項１記載の発明は、収納式踏み台が引き出される方向に複数に分割されるとともに相互間での摺動により伸縮する踏み台部材から構成されたことにより、収納後の収納式踏み台の奥行きを分割された踏み台部材の奥行きと同程度に小さくすることもできるので、トイレなどの狭い空間でも設置することが可能になる。
また、収納式踏み台を、トイレ内に設置されたキャビネットに一体的に組込まれるようにする。そうすることにより、キャビネットと収納式踏み台との組込部に違和感がなくなり、キャビネットおよびトイレの見栄えを向上することが可能になる。
また、収納式踏み台を、トイレ内に設置されたキャビネットに略直立状態から略水平状態へ回動可能に組込まれ組込まれるようにする。そうすることにより、キャビネットの奥行きを引き出した時の収納式踏み台の高さと同程度に小さくすることも可能になるとともに、踏み台部材の引き出される方向の寸法に自由度が増すため踏み台部材数を少なくすることもできるので、部材点数の削減も可能になる。
また、前記踏み台部材が分割されていない状態の伸縮方向の全長よりも、前記キャビネットの前記踏み台部材が組込まれる部分の全長のほうが長く設定されている。これにより、キャビネット内に組込まれた収納式踏み台がスムーズに回動することが可能となる。
【００１５】
本発明の好ましい態様においては、更に、収納式踏み台の内部にトイレ内で使用される備品が収納できる収納空間を備えるようにする。そうすることにより、収納式踏み台を設置したことによって生じたデッドスペースを有効に活用できる。
【００１６】
【発明の実施の形態】
以下、本発明の一実施例を図面に基づいて説明する。この実施例は、図１〜４に示す如く収納式踏み台Ａは、収納式踏み台Ａを引き出すための引き出し部材１を備えた第一の踏み台部材Ａ１と、この第一の踏み台部材Ａ１の本体を収納するための空間を備えた第二の踏み台部材Ａ２と、この第二の踏み台部材Ａ２を収納するための空間を備えた第三の踏み台部材Ａ３とを、それぞれ相互間での摺動によって伸縮可能に構成し、第三の踏み台部材Ａ３に設けられた回転軸２によって回動可能にキャビネットＢに軸止されている。
【００１７】
第一の踏み台部材Ａ１は、図１に示す如く上面が開放される収納空間３を備えた箱体からなり、収納式踏み台Ａを収納状態から引き出すための略Ｈ形状の引き出し部材１が図示せぬがネジによって取付けられた第三の踏み台部材Ａ３の引き出される方向の面と略同一の外形を持つ前面板８と、第二の踏み台部材Ａ２との摺動を円滑に行わせるための案内溝Ｃ１とを備えている。更に、収納空間３の上面には踏み台としての機能を持たせるための蓋４を図示４に示すように蝶番５によって取付けているとともに、蝶番５を取付けていない面には蓋４に加えられる荷重を支えるためのストッパー６が設けられている。尚、蓋４には蓋４を開閉させやすくするために指がかけられる程度のスリット７が開設されている。また、引き出し部材１は収納式踏み台Ａを引き出して使用する時に収納式踏み台Ａを支える脚も兼ねている。
【００１８】
第二の踏み台部材Ａ２は、第一の踏み台部材Ａ１の本体を収納するための空間を形成するために断面四角形状の筒状体からなり、第一の踏み台部材Ａ１との摺動を円滑に行わせるための案内凸部Ｄ１と、第三の踏み台部材Ａ３との摺動を円滑に行わせるための案内溝Ｃ２とを備えている。
【００１９】
第三の踏み台部材Ａ３は、第二の踏み台部材Ａ２の本体を収納するための空間を形成するために断面四角形状の筒状体からなり、第二の踏み台部材Ａ２との摺動を円滑に行わせるための案内凸部Ｄ２と、キャビネットＢと回動可能に取付けるための回転軸２とを備えている。更に、第三の踏み台部材Ａ３の上面には金属製のプレート９がネジ１０によって取付けられている。
【００２０】
キャビネットＢは、上部に収納部Ｂ１、下部に収納式踏み台Ａを収納する収納部Ｂ２を備えている。収納部Ｂ２には、第三の踏み台部材Ａ３に設けられた回転軸２を軸止するための取付孔１１を備え、第三の踏み台部材Ａ３の収納時に第三の踏み台部材Ａ３に取付けられたプレート９と対向する位置に磁石１２が接着剤で接着されている。これにより、キャビネットＢに収納式踏み台Ａを収納した時の状態が磁力によって保持されるので、収納式踏み台Ａが突然飛び出してくることはない。また、取付孔１１に特開平８−２１５１０７号に見られるような緩閉止装置を組込むことにより、収納式踏み台Ａの引き出し時に収納式踏み台Ａが自重によって急激に倒れ込むことを防止できるので、比較的力の弱い子供や老人にも安全である。また、キャビネットＢをトイレの床および／または側壁に例えばネジによって固定すると、収納式踏み台Ａの引き出し時にキャビネットＢが転倒することを防止できるので安全である。
【００２１】
次に、斯かる収納式踏み台の動作について説明する。図２に示す如く収納式踏み台Ａは、キャビネットＢの下部に設けられた収納部Ｂ２に収納されている。この時、収納部Ｂ２に接着された磁石１２によって第三の踏み台部材Ａ３にネジ１０で固定された金属製のプレート９が磁力によって引き付けられているので、収納式踏み台Ａの収納状態が保持されている。
【００２２】
そして図３に示す如く第一の踏み台部材Ａ１に前面板８を介して接続された引き出し部材１をキャビネットＢの正面側へ磁石１２の磁力よりも強い力で引っ張ると、収納部Ｂ２に設けられた取付孔１１に回転軸２によって軸止された収納式踏み台Ａは回転軸２を中心に回動して収納部Ｂ２より出てくる。
【００２３】
収納式踏み台Ａが引き出し部材１がトイレの床面と接地して略水平状態となるまで回動した状態で、引き出し部材１をキャビネットＢの正面方向へ引き寄せると図４に示す如く第三の踏み台部材Ａ３より第二の踏み台部材Ａ２が、第二の踏み台部材Ａ２より第一の踏み台部材Ａ１が引き出され収納式踏み台Ａが使用可能となる。
【００２４】
収納式踏み台Ａが引き出された状態で、第一の踏み台部材Ａ１に蝶番５によって取付けられた蓋４を蓋４に開設されたスリット７に手を掛けて引き上げると図１に示す如く収納空間３が開放される。
【００２５】
尚、収納式踏み台ＡをキャビネットＢに収納する場合は、これまでの動作を逆に実施すればよい。
【００２７】
尚、実施例では、収納式踏み台Ａに加えられる荷重を第一の踏み台部材Ａ１に前面板８を介して接続された引き出し部材１にて支える構造としているが、これに限定されず、別に脚を設けてもよい。脚の設置位置としては、実施例と同様に第一の踏み台部材Ａ１に設けてもよいが、第二の踏み台部材Ａ２や第三の踏み台部材Ａ３にも設けることで、収納式踏み台Ａに加えられる荷重をそれぞれの脚で分担して支えることができるようになるので、より大きな荷重にも対応可能となる。
【００２８】
更に、収納式踏み台Ａは、第一の踏み台部材Ａ１と第二の踏み台部材Ａ２と第三の踏み台部材Ａ３の３部材から分割されているが、この分割数に限定されないことは言うまでもない。分割数を更に多くするとで、収納式踏み台の伸縮範囲を大きくしたり、分割された踏み台部材のそれぞれの伸縮方向の長さを短くすることで収納式踏み台をよりコンパクトに収納することが可能となる。
【図面の簡単な説明】
【図１】本発明の一実施例を示す収納式踏み台の斜視図である。
【図２】本発明の収納状態を示す斜視図である。
【図３】本発明の収納式踏み台の回動状態を示す斜視図である。
【図４】本発明の収納式踏み台の伸縮状態を示す斜視図である。
【図１】
0004320765.tif 000002
【図２】
0004320765.tif 000003
【図３】
0004320765.tif 000004
【図４】
0004320765.tif 000005